(57)【要約】      （修正有）【課題】両手を体の後ろ側に回すことなく被施療部位および両手によってマッサージ機を支持して体の後ろ側に位置する被施療部位を施療する使い勝手の良いマッサージ機を提供する。【解決手段】マッサージ機１００は、マッサージ機構を収納する収納体１と、前記収納体から分離可能な帯状体２とを備える。前記収納体は、被施療者の被施療部位に接触させる接触面Ｆ１と、前記接触面とは反対側の背面Ｆ２と、前記背面に設けられ前記帯状体を通す通し部１１，１２とを備える。【選択図】図１
2020130433.tif 000002
【特許請求の範囲】
【請求項１】
マッサージ機構を収納する収納体と、
前記収納体から分離可能な帯状体と、
を備え、
前記収納体は、
被施療者の被施療部位に接触させる接触面と、
前記接触面とは反対側の背面と、
前記背面に設けられ前記帯状体を通す通し部と、
を備える、マッサージ機。
【請求項２】
第１目印が前記収納体の第１位置に設けられ、
第２目印が前記第１位置に対応する前記帯状体の第２位置に設けられる、請求項１に記載のマッサージ機。
【請求項３】
前記収納体は、前記通し部を２つ備え、
一方の前記通し部は、前記背面の長手方向中心と前記背面の長手方向一方端との間に設けられ、
他方の前記通し部は、前記背面の長手方向中心と前記背面の長手方向他方端との間に設けられる、請求項１又は請求項２に記載のマッサージ機。
【請求項４】
前記帯状体は、前記帯状体の一方端部と前記帯状体の他方端部との接触状態を保持する保持部材を備える、請求項１〜３のいずれか一項に記載のマッサージ機。
【請求項５】
前記帯状体の長手方向長さは、前記収納体の長手方向外周長さよりも長い、請求項４に記載のマッサージ機。
【発明の詳細な説明】
【技術分野】
【０００１】
本発明は、マッサージ機に関する。
【背景技術】
【０００２】
特許文献１には、施療時に被施療者による把持が可能なマッサージ機が開示されている。特許文献１に開示されているマッサージ機は、マッサージ機構と、マッサージ機構を固定するマッサージ機構取付部と、マッサージ機構取付部の両側に設けられた一対の袖部と、一対の袖部それぞれの先端に設けられる把持部と、を備える。
【先行技術文献】
【特許文献】
【０００３】
【特許文献１】特開２０１２−４０１７５号公報
【特許文献２】特開昭５４−７０６８６号公報
【発明の概要】
【発明が解決しようとする課題】
【０００４】
特許文献１では、マッサージ機の使用方法として、マッサージ機を首の周りに巻き掛けて把持部を把持する使用方法、マッサージ機を背中に背負って把持部を把持する使用方法、マッサージ機を腰に巻いて把持部を把持する使用方法が開示されている。
【０００５】
特許文献１には開示されていないが、把持部を把持しない使用方法も考えられる。把持部を把持しない使用方法としては、例えば、太腿の前側にマッサージ機を押し当てる使用方法、背中又は腰と椅子の背凭れ部との間にマッサージ機を挟む使用方法等が挙げられる。
【０００６】
把持部を把持しない使用方法に則って特許文献１に開示されているマッサージ機を使用すると、袖部及び把持部が邪魔になり、使い勝手が悪くなる。
【０００７】
なお、特許文献２には、振動発生源と、両端が振動発生源に結合される共振用ベルトと、を備える携帯ベルトマッサージャが開示されている。共振用ベルトは、振動発生源の振動と共振することによって被施療者に対してマッサージを施す構成であって、把持部が設けられていない。また、特許文献２に開示されている携帯ベルトマッサージャは、振動発生源と共振用ベルトの両端とを着脱自在に結合するための連結具が複雑な構造であるため、着脱に手間がかかるという問題も有している。
【０００８】
本発明は、上記の状況に鑑み、両手を体の後ろ側に回すことなく被施療部位および両手によってマッサージ機を支持して体の後ろ側に位置する被施療部位を施療する使用方法以外の使用方法において使い勝手の良いマッサージ機を提供することを目的とする。
【課題を解決するための手段】
【０００９】
本明細書中に開示されているマッサージ機は、マッサージ機構を収納する収納体と、前記収納体から分離可能な帯状体と、を備え、前記収納体は、被施療者の被施療部位に接触させる接触面と、前記接触面とは反対側の背面と、前記背面に設けられ前記帯状体を通す通し部と、を備える構成（第１の構成）である。
【００１０】
上記第１の構成のマッサージ機において、第１目印が前記収納体の第１位置に設けられ、第２目印が前記第１位置に対応する前記帯状体の第２位置に設けられる構成（第２の構成）にしてもよい。
【００１１】
上記第１または第２の構成のマッサージ機において、前記収納体は、前記通し部を２つ備え、一方の前記通し部は、前記背面の長手方向中心と前記背面の長手方向一方端との間に設けられ、他方の前記通し部は、前記背面の長手方向中心と前記背面の長手方向他方端との間に設けられる構成（第３の構成）にしてもよい。
【００１２】
上記第１〜第３いずれかの構成のマッサージ機において、前記帯状体は、前記帯状体の一方端部と前記帯状体の他方端部との接触状態を保持する保持部材を備える構成（第４の構成）にしてもよい。
【００１３】
上記第４の構成のマッサージ機において、前記帯状体の長手方向長さは、前記収納体の長手方向外周長さよりも長い構成（第５の構成）にしてもよい。
【発明の効果】
【００１４】
本明細書中に開示されているマッサージ機によれば、両手を体の後ろ側に回すことなく被施療部位および両手によってマッサージ機を支持して体の後ろ側に位置する被施療部位を施療する使用方法以外の使用方法において使い勝手を良くすることができる。
【図面の簡単な説明】
【００１５】
【図１】一実施例に係るマッサージ機の後方斜視図
【図２】一実施例に係るマッサージ機の正面図
【図３】収納体の後方斜視図
【図４】帯状体を通し部に通している最中の状態を示す図
【図５】帯状体を通し部に通している最中の状態を示す図
【図６】収納体から帯状体を分離した状態を示す背面図
【図７】収納体から帯状体を分離していない状態を示す後方斜視図
【図８】マッサージ機構の前方斜視図
【図９】首を施療する場合の使用状態を示す図
【図１０】首を施療する場合の使用状態を示す図
【図１１】腕を施療する場合の使用状態を示す図
【図１２】太腿を施療する場合の使用状態を示す図
【図１３】腰を施療する場合の使用状態を示す図
【図１４】収納体から帯状体を分離した状態を示す背面図
【発明を実施するための形態】
【００１６】
以下、本発明の例示的な実施形態について、図面を参照しながら詳細に説明する。図１は一実施例に係るマッサージ機１００（以下、「マッサージ機１００」と称す）の後方斜視図である。図２はマッサージ機１００の正面図である。図３は収納体１の後方斜視図である。
【００１７】
マッサージ機１００は、マッサージ機構を収納する収納体１と、収納体１から分離可能な帯状体２と、を備える。マッサージ機構の詳細については後述する。
【００１８】
収納体１は、被施療者の被施療部位に接触させる接触面Ｆ１と、接触面Ｆ１とは反対側の背面Ｆ２と、背面Ｆ２に設けられ帯状体２を通す通し部１１及び１２と、を備える。
【００１９】
通し部１１は、背面Ｆ２の長手方向中心と背面Ｆ２の長手方向一方端との間に設けられる。通し部１２は、背面Ｆ２の長手方向中心と背面Ｆ２の長手方向他方端との間に設けられる。つまり、通し部１１と通し部１２との間に背面Ｆ２の長手方向中心が存在する。背面Ｆ２の長手方向中心に目印Ｍ１が設けられる。目印Ｍ１の態様は特に限定されないが、例えば縫い目、インクプリント、刺繍、溝等を利用することができる。
【００２０】
収納体１は、操作者による操作を受け付ける操作部１３と、ＡＣコード１４と、をさらに備える（図６、図９、及び図１４参照）。操作者と被施療者とは通常同一人物であるが、異なる人物であってもよい。ＡＣコード１４の端部にはＡＣプラグ（不図示）が設けられる。収納体１は、ＡＣプラグ（不図示）及びＡＣコード１４を経由して供給されるＡＣ電圧を電源電圧として用いる。なお、図６、図９、及び図１４以外は操作部１３の図示を省略しており、図６及び図１４以外はＡＣコード１４の図示を省略している。
【００２１】
また、本実施形態とは異なり、収納体１がバッテリを搭載し、収納体１がバッテリから出力されるＤＣ電圧を電源電圧として用いてもよい。バッテリの充電方式は、有線での充電でもよく、ワイヤレス充電であってもよい。
【００２２】
帯状体２の端部２１及び２２はそれぞれループ形状を有する。被施療者は、例えば端部２１及び２２の各ループに四指を通して端部２１及び２２を把持した状態又は端部２１及び２２の各ループに手首を通した状態で、端部２１及び２２に力を加えることができる。
【００２３】
背面Ｆ２の長手方向中心に対応する帯状体２の長手方向中心に目印Ｍ２が設けられる。目印Ｍ２の態様は特に限定されないが、例えば縫い目、インクプリント、刺繍、溝等を利用することができる。
【００２４】
帯状体２を通し部１１及び１２に通す場合、例えば図４に示すように帯状体２の端部２２を通し部１１、通し部１２の順に通してもよく、また例えば図５に示すように帯状体２の端部２２を通し部１２のみに通し次に帯状体２の端部２１（図５において不図示）を通し部１１のみに通してもよい。そして、収納体１の目印Ｍ１と帯状体２の目印Ｍ２とが収納体１の長手方向において略一致するように、収納体１に対する帯状体２の位置を調整する。目印Ｍ１及びＭ２により、収納体１に対する帯状体２の位置を理想的な位置に近づけることが容易になる。
【００２５】
帯状体２は、端部２１と端部２２との接触状態を保持する保持部材をさらに備える。保持部材としては、例えば端部２１及び端部２２それぞれに設けられる一対の磁石、端部２１及び端部２２の一方に設けられる磁石と端部２１及び端部２２の他方に設けられる磁性体との組み合わせ、端部２１及び端部２２に設けられる留め具等を挙げることができる。なお、保持部材に対して所定の大きさ以上の外力を加えたり保持部材に対して所定の操作を行ったりすることで、保持部材による保持を解除することができる。
【００２６】
保持部材によって帯状体２の端部２１と帯状体２の端部２２との接触状態を保持することができるので、図６に示すように収納体１から帯状体２を分離した場合に帯状体２をコンパクトな形態に維持することができる。つまり、帯状体２が長手方向に拡がることを防止することができる。
【００２７】
また、マッサージ機１００を使用しないときに、図７に示すように収納体１から帯状体２を分離させずに帯状体２で収納体１を囲った状態で、保持部材によって帯状体２の端部２１と帯状体２の端部２２との接触状態を保持すると、通し部１１と通し部１２との間に位置する帯状体２の長手方向中央部分（図７中の網掛け部分）を取っ手として利用することができる。これにより、マッサージ機１００を持ち運ぶ際の利便性が向上する。
【００２８】
そして、通し部１１と通し部１２との間に背面Ｆ２の長手方向中心が存在するので、通し部１１と通し部１２との間に位置する帯状体２の長手方向中央部分（図７中の網掛け部分）を取っ手として利用する場合に、マッサージ機１００をバランス良く持ち運ぶことができる。
【００２９】
なお、帯状体２の背面側中央部分（図７中の斜線部分）を取っ手として利用する際に取っ手を握り易くするために、帯状体２の長手方向中央部分（図７中の斜線部分）の少なくとも一部の幅を帯状体２の他の部分の幅よりも狭くしてもよい。つまり、帯状体２は、幅狭部と、幅狭部の一方端に繋がる第１非幅狭部と、幅狭部の他方端に繋がる第２非幅狭部と、を備え、幅狭部の短手方向幅が第１非幅狭部の短手方向幅及び第２非幅狭部の短手方向幅よりも短い構成にしてもよい。
【００３０】
マッサージ機１００では、帯状体２の長手方向長さを、収納体１の長手方向外周長さよりも長くしている。これにより、図７に示すように収納体１から帯状体２を分離させずに帯状体２で収納体１を囲うことができる。
【００３１】
ただし、本実施形態とは異なり、帯状体２の長手方向長さを、収納体１の長手方向外周長さ以下にしてもよい。帯状体２の長手方向長さを、収納体１の長手方向外周長さ以下にする場合、帯状体２を図７とは反対の方向に曲げて帯状体２が収納体１の接触面Ｆ１側に回らないようにする。そして、保持部材によって帯状体２の端部２１と帯状体２の端部２２との接触状態を保持すると、帯状体２の端部２１と帯状体２の端部２２との接触部分及びその周囲を取っ手として利用することができる。しかしながら、帯状体２の端部２１と帯状体２の端部２２との接触部分及びその周囲を取っ手として利用する形態は、図７に示す形態と比較してコンパクトさに欠けるため、図７に示す形態の方が好ましい。
【００３２】
次に、収納体１が収納するマッサージ機構の一例を図８に示す。図８に示すマッサージ機構は、アーム３１及び３２と、アーム３１に取り付けられる施療子３３及び３４と、アーム３２に取り付けられる施療子３５及び３６と、を備える。各施療子３３〜３６は、収納体１の背面Ｆ２（図８において不図示）側から接触面Ｆ１（図８において不図示）側に向かって突出する。施療子３３は回転軸ＡＸ１を中心に回転し、施療子３５は回転軸ＡＸ２を中心に回転する。さらに、アーム３１及び３２の往復運動により、回転軸ＡＸ１と回転軸ＡＸ２との距離が拡がるにつれて施療子３４と施療子３６との距離が狭くなる期間と、回転軸ＡＸ１と回転軸ＡＸ２との距離が狭くなるにつれて施療子３４と施療子３６との距離が拡がる期間とが交互に訪れる。
【００３３】
さらに、図８に示すマッサージ機構の施療子３３及び３５の内部にはヒーターが設けられており、施療子３３及び３５を温めることができる。
【００３４】
最後に、マッサージ機１００の使用例について説明する。
【００３５】
図９及び図１０は、首を施療する場合の使用例を示す図である。図９及び図１０では、被施療者Ｈ１がマッサージ機１００を首の周りに巻き掛け、端部２１に左手首を通し端部２２に右手首を通して端部２１及び２２を前方斜め下に引っ張っている。端部２１及び２２の引っ張り度合いによって施療の強さを調整することができる。
【００３６】
図１１は、右腕を施療する場合の使用例を示す図である。図１１では、収納体１が机Ｄ１に置かれており、被施療者Ｈ１が右腕をマッサージ機１００の接触面Ｆ１に載せている。
【００３７】
図１２は、右太腿の前側を施療する場合の使用例を示す図である。図１２では、被施療者Ｈ１が、左手を通し部１１に通し、右手を通し部１２に通して、収納体１の接触面Ｆ１を右太腿の前側に押し当てている。
【００３８】
図１３は、腰を施療する場合の使用例を示す図である。図１３では、被施療者Ｈ１の腰と椅子Ｃ１の背凭れ部との間に収納体１が挟まれており、収納体１の接触面Ｆ１を腰に押し当てている。
【００３９】
図１１〜図１３に示す各使用例は、両手を体の後ろ側に回すことなく被施療部位および両手によってマッサージ機を支持して体の後ろ側に位置する被施療部位を施療する使用方法以外の使用方法に該当する。図１１〜図１３に示す各使用例では、帯状体２が収納体１から分離しているので、帯状体２が邪魔にならず、使い勝手がよい。
【００４０】
上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００４１】
例えば、図１４に示すように、収納体１から目印Ｍ１を除き、目印Ｍ２の代わりに目印Ｍ３及びＭ４を帯状体２に設けてもよい。この場合、通し部１１の両側面を目印Ｍ５及びＭ６として利用すればよい。目印Ｍ３と目印Ｍ４との距離を目印Ｍ５と目印Ｍ６との距離より若干短くしておくことで、目印Ｍ３及びＭ４が通し部１１によって隠れるように収納体１に対する帯状体２の位置を調整すればよい。
【００４２】
本実施形態では、収納体に通し部を２つ設けたが、通し部は単数であってもよく、３つ以上であってもよい。また、通し部の短手方向一方端は、留め具等により収納体の背面から着脱可能な構造であってもよい。
【符号の説明】
【００４３】
１  収納体
２  帯状体
１１、１２  通し部
２１、２２  端部
Ｆ１  接触面
Ｆ２  背面
Ｍ１、Ｍ２  目印
【図１】
2020130433.tif 000003
【図２】
2020130433.tif 000004
【図３】
2020130433.tif 000005
【図４】
2020130433.tif 000006
【図５】
2020130433.tif 000007
【図６】
2020130433.tif 000008
【図７】
2020130433.tif 000009
【図８】
2020130433.tif 000010
【図９】
2020130433.tif 000011
【図１０】
2020130433.tif 000012
【図１１】
2020130433.tif 000013
【図１２】
2020130433.tif 000014
【図１３】
2020130433.tif 000015
【図１４】
2020130433.tif 000016